(57)【要約】【課題】コネクタの低背化を図ると共に、吸着管による真空吸着時、コンタクトへの干渉が生じない回路基板間接続用コネクタ、及び一方がワイヤに連なり、他方が回路基板に装着された場合のコネクタを提供する。【解決手段】隣接するリセプタクルコンタクト６間に具わる極間壁５７の内側先端に位置する端面５７ａにリセプタクルコンタクト６のバネ弾性部６１が隠れるような大きさの延長壁５８を具えたものであって、コネクタの低背化を図ると共に、リセプタクルコネクタ４の収容ケースから回路基板面Ｐ２へのリセプタクルコネクタ４の保持・搬送の際、吸着管１００がリセプタクルコネクタ４に装着されているリセプタクルコンタクト６に衝突することがなく、リセプタクルコンタクト６に変形を生じさせない回路基板間接続用コネクタ、及び一方がワイヤに連なり他方が回路基板に装着された場合のコネクタである。【選択図】  図８
2009252490.tif 000002
【特許請求の範囲】
【請求項１】
回路基板に実装された、合成樹脂からなるハウジングと、このハウジングに固定される金属板からなるコンタクトとを具えるコネクタにおいて、
前記コンタクトは、前記ハウジングに固定される固定部と、
この固定部の一端から連なる接続部と、
この固定部の他端から湾曲して連なる弾性を有する接触部とを具え、
前記ハウジングは、長手方向の両側に前記コンタクトを固定するための側壁を具え、
この側壁は、長手方向に亘って前記コンタクトの前記固定部を嵌め込み、嵌合時前記接触部の弾性変位をガイドするためのスリットと、このスリットを画成する極間壁とを交互に連続して具え、
この極間壁の嵌合部に臨む端面には、この極間壁を嵌合部方向に延長し、前記接触部の先端部を覆うように延長壁が具わることを特徴とするコネクタ。
【請求項２】
前記延長壁は前記ハウジングの長手方向中央部の前記極間壁に具わる請求項１記載のコネクタ。
【発明の詳細な説明】
【技術分野】
【０００１】
本発明は、対向する回路基板面に装着されて、回路基板面に描かれた配線パターン間を電気的に接続する回路基板間接続用コネクタ、及び一方がワイヤに連なり、他方が回路基板に装着されたコネクタに関するものである。
【背景技術】
【０００２】
パーソナルコンピュータや携帯電話等の携帯機器に使用される回路基板間接続用コネクタ、及び一方がワイヤに連なり、他方が回路基板に装着されたコネクタは、携帯機器の小型化に伴って小型化、低背化が進んでいる。このような小型化、低背化は、一般にコネクタの接続嵌合長（有効嵌合長）を短くすることから、近時、小型化、低背化を図りつつ接続嵌合長の割合を大きくするためのコネクタに関する技術報告がなされている。
【０００３】
その中の特許文献１記載の技術によれば、コネクタの嵌合の際リセプタクルコンタクトと、プラグコンタクトとの嵌合方向の重なり合う部分をなくすと共に、嵌合方向のハウジングのモールド部分をなくすことによって、回路基板間接続用コネクタの低背化と、コンタクトの有効嵌合長割合の増大化を達成している。
【特許文献１】特開２００７−３２８９４６
【発明の開示】
【発明が解決しようとする課題】
【０００４】
しかし、一般的にコネクタを回路基板面に装着する場合には、リール詰め形態やケース詰め形態で収容されたコネクタを、このコネクタの一部分を真空引き吸着管で吸着保持し、回路基板面の所定の位置まで搬送して、その場に載置する方法をとる。
【０００５】
このような、コネクタの保持・搬送方式を特許文献１記載のコネクタ構造で実施した場合、吸着管の先端がリセプタクルコンタクトの接触片に衝突することが予測される。
【０００６】
すなわち、リセプタクルコンタクトは、このリセプタクルコンタクトの両側面に具わる極間壁で固定され、又接触片の弾性変位をこの極間壁でガイドされているのだが、リセプタクルコンタクトの接触片の最も嵌合部側は、極間壁の端面同士を結ぶ仮想面よりも嵌合部側に露出しているために、吸着管の水平方向の位置ずれや、コネクタの組み立て精度のバラツキ等の条件によっては、吸着管が接触片に衝突する事態が予測され得る。
【０００７】
このような衝突は、リセプタクルコンタクトに変形を来たし接触不良を招来するものであり、また、コネクタの小型化、低背化によってこのような衝突は一層生じるおそれが高まるものである。
【０００８】
本発明は、懸る問題点に鑑みてなされたもので、コネクタの小型化、低背化を図ると共に、コネクタの収容ケースから回路基板面へのコネクタの保持・搬送の際、真空引き吸着管がコネクタに固定されているコンタクトに衝突することがなく、コンタクトに座屈等の変形を生じさせない回路基板間接続用コネクタ、及び一方がワイヤに連なり、他方が回路基板に装着された場合のコネクタを提供することを目的とするものである。
【課題を解決するための手段】
【０００９】
本発明は、（１）回路基板に実装された、合成樹脂からなるハウジングと、このハウジングに固定される金属板からなるコンタクトとを具えるコネクタにおいて、前記コンタクトは、前記ハウジングに固定される固定部と、この固定部の一端から連なる接続部と、この固定部の他端から湾曲して連なる弾性を有する接触部とを具え、前記ハウジングは、長手方向の両側に前記コンタクトを固定するための側壁を具え、この側壁は、長手方向に亘って前記コンタクトの前記固定部を嵌め込み、嵌合時前記接触部の弾性変位をガイドするためのスリットと、このスリットを画成する極間壁とを交互に連続して具え、この極間壁の嵌合部に臨む端面には、この極間壁を嵌合部方向に延長し、前記接触部の先端部を覆うように延長壁が具わることを特徴とするコネクタである。更に延長壁の具わるところを限定した、（２）前記延長壁は前記ハウジングの長手方向中央部の極間壁に具わる（１）記載のコネクタである。
【００１０】
このように本発明（１）は、コンタクトの両側面に具わる極間壁の端面にコンタクトの接触部の先端を覆うように延長壁を設けたものである。接触部はバネ弾性を有し、嵌合の際極間壁で区画されたスリット内で弾性変位が可能である。また、接触部は、スリットを区画する極間壁の端面に具わる延長壁によって、その先端部は覆われている。先端部が覆われているとは、接触部の最も嵌合部側に位置する部分が覆われているという意味に解してよく、また、覆うとは、コネクタの長手方向に亘ってコネクタを水平に眺めた場合に、延長壁によって接触部の先端部が隠されるという意味に解してよい。すなわち、接触部の最も嵌合部側に位置するところに対して延長壁の端面は、同じ位置にあるか、或いはより嵌合部側に位置するものである。
【００１１】
延長壁は、極間壁と同じ幅、同じ高さであってもよいし、異なる幅、異なる高さであってもよい。また、全ての極間壁に具わっていてもよいし、一部の極間壁にのみ具わっていてもよい。
【００１２】
また、本発明（２）は、延長壁を具えた極間壁を限定するもので、コネクタハウジングの長手方向に等間隔で並置されたコンタクトの中央部分の極間壁にのみ延長壁を具えるものである。中央部とは、吸着管の大きさとの兼合いで決定される範囲であって、吸着管の長手方向の大きさと等しい範囲から凡そ３倍程度の範囲と解してよい。
【発明の効果】
【００１３】
本発明のコネクタ構造は、小型化、低背化によっても、真空引き吸着管による保持・搬送の際に、吸着管がコンタクトに衝突せず、コンタクトに変形が生じるおそれがない。
【発明を実施するための最良の形態】
【００１４】
本発明の実施の形態について図面を参照して説明する。図１は、本発明の実施の形態による回路基板に装着されたプラグコネクタと、リセプタクルコネクタとが嵌合した状態の外観斜視図である。なお、プラグコネクタの回路基板は、図を隠すため省略する。図２は、図１の状態からプラグコネクタとリセプタクルコネクタとの嵌合を解いた状態の外観斜視図である。図３は、図２の状態のプラグコネクタと、リセプタクルコネクタとを１８０度反転させた状態の外観斜視図である。図４は、本発明の実施の形態によるプラグコンタクトの外観斜視図である。図５は、同じくリセプタクルコンタクトの外観斜視図である。図６は、同じくプラグコンタクトと、リセプタクルコンタクトとの嵌合状態の外観斜視図である。なお、説明中の方向は図面中の矢印の方向指示に従う。
【００１５】
＜プラグコネクタ＞
プラグコネクタ１と、リセプタクルコネクタ４とは、それぞれ回路基板Ｐ１、Ｐ２に半田実装されていて、コネクタ１、４が嵌合することで、回路基板Ｐ１、Ｐ２の配線間に電気的接続状態を生じさせる。プラグコネクタ１は、絶縁性の合成樹脂から成るプラグハウジング２と、プラグハウジング２の所定の位置に固定される平板状金属の加工から成るプラグコンタクト３とを具える。同じく、リセプタクルコネクタ４は、絶縁性の合成樹脂から成るリセプタクルハウジング５と、リセプタクルハウジング５の所定の位置に固定される平板状金属の加工から成るリセプタクルコンタクト６とを具える。嵌合によって双方コンタクト３、６間が電気的機械的に連結することで、双方回路基板Ｐ１、Ｐ２間が電気的に接続される。
【００１６】
プラグハウジング２は、平面視矩形状で蓋のない箱体であり、底面には、底壁２０を具え、前後端面には、端壁２１、２１を具え、左右側面には、側壁２３、２３を具えて、内部に窪み状の凹部２５を形成する。凹部２５の中央には、前後方向に亘って台地状の凸部２６を形成する。なお、前後端壁２１、２１、左右側壁２３、２３及び中央の凸部２６の高さはほぼ同じである。
【００１７】
側壁２３、２３から底壁２０及び中央の凸部２６に亘ってプラグコンタクト３が這う形状に沿うように、それぞれ側壁２３、２３には、プラグコンタクト３を固定するための溝２３ａ、２３ａを、底壁２０には、プラグコンタクト３をガイドするための底壁２０を貫通したスリット２０ａを、中央凸部２６には、プラグコンタクト３を固定するための溝２６ａ、２６ａを連続的に形成する。また、本実施の形態では、中央の凸部２６の長手方向の左右側面中央部のプラグコンタクト３を固定するための溝２６ａが隣接する溝２６ａとの間の部分に、更に凹状の逃がし溝２６ｂが具わる。
【００１８】
この逃がし溝２６ｂは、互いに隣接するプラグコンタクト３間にあり、中央の凸部２６の底面側から上面側にかけて垂直方向に同じ幅で具わる。なお、本実施の形態では、逃がし溝２６ｂは、プラグハウジング２の長手方向の左右側面中央部にそれぞれ３箇所具わる。
【００１９】
次に、図４及び図６を参照してプラグコンタクト３を説明する。プラグコンタクト３は、銅合金を基材とし表層に金めっきを施した平板状金属の打抜き加工及び曲げ加工によって形成される。プラグコンタクト３は、プラグハウジング２に固定される固定部３０と、固定部３０の一端から屈曲し、そこから立ち上がる接触部３１と、固定部３０の他端から屈曲して回路基板Ｐ１に平行して外部へ伸びる接続部３３とを一体的に具える。なお、本実施の形態では、プラグコンタクト３はプラグハウジング２に同時成形によって所定の位置に固定されている。
【００２０】
固定部３０は、同時成形によってプラグコンタクト３をプラグハウジング２の所定位置に固定するための部分であり、側壁２３、２３から凹部２５を経て凸部２６までの表面凹凸形状に沿うように形成されている。側壁２３、２３に沿う部分は、垂直方向（嵌合方向）に立設するストレート片３０ａと、ストレート片３０ａに連なる曲率１８０度の湾曲片３０ｂと、湾曲片３０ｂに連なる垂直平面のストレート片３０ｃとから成る略Ｕ字状片である。この略Ｕ字状の部分が側壁２３、２３に形成された凹状の溝２３ａ、２３ａに嵌り込むことで固定されるものである。凹部２５に沿う部分は、ストレート片３０ｃに連なる曲率９０度の屈曲片３０ｄと、屈曲片３０ｄに連なる水平面のストレート片３０ｅと、ストレート片３０ｅに連なる曲率９０度で立ち上がる屈曲片３０ｆとから成る。ストレート片３０ｅが通る部分の底壁２０には、底壁２０を貫通するスリット２０ａが設けられている。凸部２６に沿う部分は、先の屈曲片３０ｆに連なる接触片３２の裏面側である。
【００２１】
接触部３１は、固定部３０の９０度屈曲した端から立ち上がる垂直平面の接触片３２と、接触片３２に連なる曲率９０度の屈曲片３１ａと、屈曲片３１ａに連なる水平面のストレート片３１ｂとから成る。接触片３２は、嵌合時、リセプタクルコンタクト６の対応するところに接触して電気的接続を担う部分であり、裏面側は、底壁２０に形成された凸部２６に固定されている。
【００２２】
接続部３３は、回路基板Ｐ１に対して平行位置にあるストレート片３３ａと、ストレート片３３ａに連なる屈曲した屈曲片３３ｂとから成る。ストレート片３３ａは、回路基板Ｐ１の対応する図示しない接続端子に半田実装によって電気的に接続される部分である。プラグコンタクト３は、プラグハウジング２の前後方向に亘って対を成すように複数個配置されている。
【００２３】
＜リセプタクルコネクタ＞
次に、主に図３を参照してリセプタクルコネクタの説明をする。説明中の方向は図３の方向指示に従う。リセプタクルコネクタ４は、絶縁性の合成樹脂から成るリセプタクルハウジング５と、リセプタクルハウジング５の所定の位置に固定される平板状金属の加工から成るリセプタクルコンタクト６とを具える。嵌合によって双方コンタクト３、６間に電気的機械的接続状態が生じることで、双方回路基板Ｐ１、Ｐ２間に電気的接続がなされる。
【００２４】
リセプタクルハウジング５は、平面視矩形状で蓋のない箱体であり、幅方向の垂直中心面に対してほぼ対称構造である。底面には、底壁５０を具え、左右側面には、側壁５３、５３を具えて、中央に窪み状の凹部５５を形成する。側壁５３、５３には、リセプタクルコンタクト６を収容するためのスリット５３ａ、５３ａが垂直方向（嵌合方向）に貫通するようにして設けられ、このスリット５３ａ、５３ａを画成する極間壁５７、５７の壁面外方向でリセプタクルコンタクト６の固定部６０に形成された突起６０ｂ、６０ｂ及び６０ｃ、６０ｃと係合してリセプタクルコンタクト６を固定する。また、リセプタクルハウジング５の長手方向中央部の極間壁５７の嵌合部に臨む端面５７ａには、延長壁５８が具わる。
【００２５】
次に、図５及び図６を参照してリセプタクルコンタクト６を説明する。リセプタクルコンタクト６は、銅合金を基材とし表層に金めっきを施した平板状金属の打抜き加工及び曲げ加工によって形成される。リセプタクルコンタクト６は、リセプタクルハウジング５に固定される固定部６０と、固定部６０から嵌合位置方向に互いに湾内を向けて連続して配置された湾曲片６１ａ及び６１ｃを具えたばね弾性部６１と、固定部６０から反嵌合位置方向に回路基板Ｐ２面に対して平行に伸びる接続部６３とを一体的に具える。
【００２６】
固定部６０は、圧入によってリセプタクルコンタクト６をリセプタクルハウジング５に固定する部分であり、垂直に立設するストレート片６０ａと、ストレート片６０ａの両側断面から外向き凸状の突起６０ｂ、６０ｂ、同じく６０ｃ、６０ｃとを具える。固定部６０は、リセプタクルハウジング５の側壁５３、５３に具わるスリット５３ａ、５３ａに圧入されて突起６０ｂ、６０ｂ及び６０ｃ、６０ｃがスリット５３ａ、５３ａの両側面を画成する極間壁５７、５７の所定の位置に係止して固定される。
【００２７】
ばね弾性部６１は、嵌合時、弾性変位して先端に具える接触片６２で対応するプラグコンタクト３の接触片３２に弾接し、双方コンタクト３、６間の電気的接続を担う部分であり、固定部６０に連なる曲率１８０度の湾曲片６１ａと、湾曲片６１ａから垂直方向に立設するストレート片６１ｂと、ストレート片６１ｂに連なる曲率１８０度の湾曲片６１ｃと、湾曲片６１ｃに連なる傾きを持って垂直方向に立設した接触片６２とから成る。接触片６２に垂直方向（嵌合方向に直交する方向））の押圧力を受けた時、２つの湾曲片６１ａ及び６１ｃが縮むように弾性変形し、作用方向と反対方向に弾性力を生じさせる。更に、接触片６２の先端は、反嵌合位置方向に曲率半径を有する屈曲片６２ａを具え、屈曲片６２ａの先端は、鍵爪状の掛かり片６２ｂを形成している。掛かり片６２ｂは、屈曲片６２ａの終端に当たる切断面であり、嵌合時、リセプタクルハウジング５の所定の位置に係合する部分である。
【００２８】
接続部６３は、回路基板Ｐ２の対応するところに半田実装によって電気的接続を担う部分であり、回路基板Ｐ２面に対して平行位置に在るストレート片６３ａと、ストレート片６３ａに連なる屈曲片６３ｂとから成る。リセプタクルコンタクト６は、リセプタクルハウジング５の前後方向に亘って対を成すように複数個配置されている。
【００２９】
＜極間壁、延長壁＞
次に、図７を参照してリセプタクルコネクタの極間壁及び延長壁について説明する。図７は、リセプタクルハウジングの長手方向の断面図である。（ａ）は、延長壁が具わる部分であり、（ｂ）は、延長壁が具わらない部分である。
【００３０】
延長壁５８は、極間壁５７の端面５７ａから水平方向に連なり、極間壁５７と一体的に形成されていて、底面は、底壁５０に連なっている矩形状片である。
【００３１】
延長壁５８は、リセプタクルコネクタ４を回路基板Ｐ２にセットする際、保持手段である真空吸着管１００の吸着ヘッド１００ａによるリセプタクルコンタクト６への衝突を避けるためのものである。つまり、コネクタの小型化によって、吸着エリアも制限された範囲となり、コネクタの組み立て精度や、吸着ヘッド１００ａの振れ幅等の条件によっては、吸着ヘッド１００ａがリセプタクルコンタクト６のバネ弾性部６１に衝突し、座屈などの変形を来たすおそれが高まりつつあるが、延長壁５８の端面５８ａは、バネ弾性部６１よりも嵌合部側に位置するので、吸着ヘッド１００ａが相対的な位置に偏りを有している場合でも、効果的に吸着ヘッド１００ａとの衝突からリセプタクルコンタクト６を守るものである。
【００３２】
延長壁５８は、極間壁５７の端面５７ａの底面から上面にかけて具わり、極間壁５７の嵌合部側への伸びを延長するものである。延長壁５８の延長代は、隣接する極間壁５７の端面５７ａ同士を結ぶ仮想面から突出しているリセプタクルコンタクト６のバネ弾性部６１の突出量に比べて等しい量か或いは大きい量である。本実施の形態では、延長壁５７の端面５７ａ同士を結ぶ仮想面から凹んだ位置にあるバネ弾性部６１の凹み量は、０から０．３ｍｍであり、好ましくは、０．０５から０．２ｍｍであり、より好ましくは、０．０５から０．１ｍｍである。凹み量が小さすぎる場合は、延長壁の目的であるリセプタクルコンタクト６の保護が果たせないおそれがあり、突出量が大きすぎる場合は、挿抜時、延長壁５８の折損のおそれが生じるからである。
【００３３】
極間壁５７は、スリット５３ａを画成するものであり、隣接するスリット５３ａ間に具わるものである。その端面５７ａは、リセプタクルコンタクト６のバネ弾性部６１の最も嵌合部側に位置するところよりも後方に具わっている。つまり、端面５７ａは、リセプタクルハウジング５中央の嵌合凹部５５の窪み形状の垂直側面を形成し、この端面５７ａで形成される仮想の連続面に対して嵌合部側の露出した位置にリセプタクルコンタクト６のバネ弾性部６１が位置する構造である。本発明の実施の形態では、延長壁５８は、長手方向中央部に位置する３箇所の極間壁５７のみに設けられている。
【００３４】
したがって、吸着管１００の吸着ヘッド１００ａがリセプタクルコネクタ４の底壁５０の表面を吸着する際、吸着ヘッド１００ａは、リセプタクルコネクタ４を最も安定して保持、搬送できる位置で吸着する必要から、底壁５０の長手方向中央部を吸着位置に定めて吸着動作を行なう。本発明の実施の形態では、吸着ヘッド１００ａの形態を楕円形状で、長手方向に０．５ｍｍの幅を想定している。
【００３５】
次に、図８を参照して吸着ヘッド１００ａの吸着動作について説明する。図８は、吸着管によるコネクタの吸着動作である。（ａ）は、リセプタクルコネクタであり、（ｂ）は、プラグコネクタである。
【００３６】
リセプタクルコンタクト６のバネ弾性部６１は、延長壁５８によって、その端面５８ａの内側（反嵌合部側）に位置している。一方、吸着ヘッド１００ａは、ヘッド面１００ｂを底壁５０に対して平行位置を保ちながら吸着動作にはいる。つまり、吸着位置の上方から底壁５０に対して垂直に下降して、ヘッド面１００ｂを底壁５０の表面に吸着させる。
【００３７】
このとき、リセプタクルコネクタ４は小型化、低背化によって、本実施の形態では、被吸着面である底壁５０の有効幅（リセプタクルコネクタ４の長手方向に直交する方向の幅）は、凡そ０．６ｍｍと狭いものである。一方吸着ヘッド１００ａも小型化されてはいるが、幅方向（同上）の寸法は０．４ｍｍ程度である。このように数値上は、吸着ヘッド１００ａは、リセプタクルコンタクト６に衝突することなく、底壁５０に吸着し得るものではある。
【００３８】
しかし、リセプタクルコネクタ４のセット位置のバラツキ、吸着管１００の振れ幅、リセプタクルハウジング５に対するリセプタクルコンタクト６の組立て精度のバラツキ等のバラツキ要因を考慮した場合には、吸着ヘッド１００ａのリセプタクルコンタクト６への衝突は予測され得る範囲である。このような衝突が生じた場合、吸着ヘッド１００ａは上方から垂直に下降するものであるから、リセプタクルコンタクト６のバネ弾性部６１を座屈させる方向に力を加えるものである。
【００３９】
ここで、延長壁５８は、隣接するリセプタクルコンタクト６間に位置し、バネ弾性部６１を吸着ヘッド１００ａとの衝突から守るものである。本発明の実施の形態では、リセプタクルコンタクト６は、０．４ｍｍ間隔で配置され、延長壁５８は、中央部の連続する３箇の極間壁５７に具えられている。つまり、延長壁５８も０．４ｍｍ間隔で連続して３個具わり、その間に２個のリセプタクルコンタクト６を左右延長壁５８で囲うように保護し、それに隣接する各１個のリセプタクルコンタクト６をそれぞれ左右どちらかの延長壁５８で保護する構造である。
【００４０】
すなわち、連続して３個の延長壁５８を具えることで、２個のリセプタクルコンタクト６を左右側面から保護し、これらの外側に位置する２個のリセプタクルコンタクト６をそれぞれの片側側面から保護し、計４個のリセプタクルコンタクト６を保護している。本発明の実施の形態では、保護範囲は、延長壁５８の壁厚みも考慮に入れると凡そ１．０５ｍｍである。上述したように吸着ヘッド１００ａは、コネクタの長手方向へ０．５ｍｍのものであるから、１．０５ｍｍの範囲に亘って延長壁５８で保護されることで、リセプタクルコンタクト６は、吸着管１００の振れ幅を考慮に入れても十分に、その衝突から守られ得るものである。
【００４１】
本発明の実施の形態では、上述したように延長壁５８は、全ての極間壁５７に具わるものではなく、中央部の３箇所にのみ具わる。リセプタクルハウジング５の極間壁５７に延長壁５８を具えることで、嵌合相手のプラグハウジング２の対応する部分には、逃がし溝２６ｂが形成されていて、両コネクタ１、４の嵌合時、この逃がし溝２６ｂに延長壁５８が嵌り込むようにして収まるのだが、両コネクタ１、４の挿抜時に生じることのある、こじる状態での挿入や引抜きで、逃がし溝２６ｂとの間で干渉が生じ、延長壁５８にその壁面を折り曲げるような力が働く。場合によっては、この力によって破損する場合も生じ得るものであるが、このような力が作用して破損に至らしめるのは、コネクタの両端部分であることが、理論的にも又経験的にも説明されるところである。
【００４２】
更に、吸着管１００は、コネクタの重心部分である長手方向の中央部を吸着位置とするもので、その大きさや、振れ幅を考慮するとしても、吸着管１００との衝突から現実的に保護する必要があるのは、中央部に具わる数個のリセプタクルコンタクト６に制限され得るものである。
【００４３】
したがって、これらの理由から、本発明の実施の形態では、延長壁５８は、長手方向中央部の極間壁５７のみに具わるものである。ただし、本発明は、延長壁５８を具える極間壁５７に制限を加えるものではなく、全ての極間壁５７を具える場合を除外するものではない。
【００４４】
次に、プラグコネクタ１の吸着動作について説明する。プラグコネクタ１の吸着は、プラグハウジング２の窪み状の凹部２５の中央部に形成された凸部２６の上面に吸着ヘッド１００ａを吸着させることで保持、搬送を行なう。
【００４５】
このように、本発明の実施形態によれば、極間壁に延長壁が具わるのでコネクタの小型化、低背化によっても、コネクタに装着されたコンタクトに損傷を加えることなく真空引き吸着管によって、コネクタの保持、搬送が行なうことができる。また、コネクタの両端部には、延長壁は具わらず、中央部にのみ具わるので、コネクタの挿抜時のこじる状態が生じても、こじる力が作用して延長壁が損傷を受けるおそれがない。
【００４６】
なお、本発明は、本実施形態に限定して解釈されるものではない。本発明の趣旨を逸脱しない範囲内で、実施形態を変更して種々実施することが可能である。
【図面の簡単な説明】
【００４７】
【図１】本発明の実施の形態による回路基板に装着されたプラグコネクタと、リセプタクルコネクタとが嵌合した状態の外観斜視図である。
【図２】図１の状態からプラグコネクタと、リセプタクルコネクタとの嵌合を解いた状態の外観斜視図である。
【図３】図２の状態のプラグコネクタと、リセプタクルコネクタとを１８０度反転させた状態の外観斜視図である。
【図４】本発明の実施の形態によるプラグコンタクトの外観斜視図である。
【図５】同じくリセプタクルコンタクトの外観斜視図である。
【図６】同じくプラグコンタクトと、リセプタクルコンタクトとの嵌合状態の外観斜視図である。
【図７】同じくリセプタクルハウジングの長手方向に直交する方向の断面図である。（ａ）は、延長壁を通る面であり、（ｂ）は、延長壁を通らない面である。
【図８】同じく真空引き吸着管がコネクタハウジングを吸着する動作図である。（ａ）は、リセプタクルハウジングであり、（ｂ）は、プラグハウジングである。
【符号の説明】
【００４８】
１      プラグコネクタ
２      プラグハウジング
３      プラグコンタクト
４      リセプタクルコンタクト
５      リセプタクルハウジング
６      リセプタクルコンタクト
２０    底壁
２１    端壁
２３    側壁
２３ｂ    逃がし溝
２５    凹部
２６    凸部
５０    底壁
５１    端壁
５３    側壁
５５    凹部
５６    台座
５７    極間壁
５７ａ    端面
５８    延長壁
５８ａ    端面
Ｐ１、Ｐ２    回路基板
１００    吸着管
１００ａ    吸着ヘッド
１００ｂ    吸着端
【図１】
2009252490.tif 000003
【図２】
2009252490.tif 000004
【図３】
2009252490.tif 000005
【図４】
2009252490.tif 000006
【図５】
2009252490.tif 000007
【図６】
2009252490.tif 000008
【図７】
2009252490.tif 000009
【図８】
2009252490.tif 000010